(57)【特許請求の範囲】
【請求項１】
加熱ヒーターを備え気化ガスと燃焼空気とを予混合する有底筒状の気化筒と、該気化筒からの混合気を周壁に設けた少なくとも上下２段配列の炎孔で燃焼させる有天筒状のバーナヘッドと、該バーナヘッドと気化筒との間に位置し、気化筒からの混合気を一旦集合させた後、拡散させるラッパ状の集合板と、該集合板上方でバーナヘッド内には、少なくともバーナヘッドの下段炎孔より高い有天筒状の整流筒を備え、更に整流筒上面には複数の小孔から成る第１整流孔群を形成すると共に、下段炎孔と対向する周壁上部には第１整流孔群に近接した複数の小孔から成る第２整流孔群とを形成し、集合板からの混合気を整流しながら上下段炎孔それぞれに供給するようにした事を特徴とする燃焼装置。
【発明の詳細な説明】
【０００１】
【産業上の利用分野】
この発明は石油ファンヒーター等の暖房器具の燃焼装置に関するものである。
【０００２】
【従来の技術】
従来よりこの種のものに於いては、例えば実公平２−９２３０号公報に開示されている如く、気化筒上方の集合板上に上面に複数の小孔を有した整流筒を備え、集合板通過後の混合気を整流してバーナヘッドの炎孔に供給することで、良好な燃焼を得ようとするものであった。
【０００３】
【発明が解決しようとする課題】
ところでこの従来のものでは、整流筒が低身で内容積が極めて小さい為、整流前の気化ガスと燃焼空気との混合が十分行われる前にバーナヘッドの炎孔に供給されてしまうので、混合気濃度にムラが生じ全周均一な燃焼炎を得ることが出来ないと言う不具合を有するものであった。
【０００４】
又これを防止する為には、整流筒を高くしその内容積を大きくすることが考えられるが、単に整流筒を高くしただけでは、混合は十分行われるが、今度は逆に整流後の混合ガスが炎孔にスムーズに供給されず、着火遅れや白煙、臭気が発生すると言う新たな問題の原因となるものであった。
【０００５】
【問題点を解決するための手段】
この発明はこの点に着目し上記欠点を解決する為、特にその構成を、加熱ヒーターを備え気化ガスと燃焼空気とを予混合する有底筒状の気化筒と、該気化筒からの混合気を周壁に設けた少なくとも上下２段配列の炎孔で燃焼させる有天筒状のバーナヘッドと、該バーナヘッドと気化筒との間に位置し、気化筒からの混合気を一旦集合させた後、拡散させるラッパ状の集合板と、該集合板上方でバーナヘッド内には、少なくともバーナヘッドの下段炎孔より高い有天筒状の整流筒を備え、更に整流筒上面には複数の小孔から成る第１整流孔群を形成すると共に、下段炎孔と対向する周壁上部には第１整流孔群に近接した複数の小孔から成る第２整流孔群とを形成し、集合板からの混合気を整流しながら上下段炎孔それぞれに供給するようにしたものである。
【０００６】
【作用】
気化筒１内で予混合された混合気は、集合板１１を通り一旦集合された後、整流筒１２内に入り広い内容積で十分混合され、一部は上面の第１整流孔群１３を通過し整流されてからバーナヘッド６の上段炎孔７に供給されここで良好に燃焼し、又この混合気の一部は、整流筒１２の周壁上部の第２整流孔群１４を通り整流されて、そのまま下段炎孔８に供給されここで良好に燃焼するもので、十分な混合とスムーズな混合気の流通で、常に良好な燃焼を得ることが出来るものである。
【０００７】
【実施例】
次にこの発明に係る燃焼装置を図面に示す一実施例で説明する。
１は有底筒状の気化筒で、上部周壁にはシーズヒーターから成る加熱ヒーター２が鋳込まれ、下部に備えたサーミスタから成る温度センサー３による通電制御で２２０℃〜２５０℃に保持され、該温度センサー３とは反対側の下部周壁にのぞませた噴霧ノズル４から供給される燃油を気化ガスとすると共に、送風口５から供給される燃焼空気とを予混合するものである。
【０００８】
６は前記気化筒１の上部開口に覆着した有天筒状のバーナヘッドで、周壁には上下２段に配列した炎孔７、８を有し、上段炎孔７は直径６〜７mmとし下段炎孔８はこれよりやや小径で直径５〜５．５mmとし、且つ全周に１６個ずつ形成しており、又この炎孔７、８が形成された周壁の内外面にはそれぞれ密着して取り付けられた内、外金網９、１０が備えられている。
【０００９】
１１は気化筒１とバーナヘッド６内とを仕切るラッパ状の集合板で、気化筒１内に垂下した部分で混合気を一旦集合させた後、拡散させて混合を促進するものである。
【００１０】
１２は集合板１１上に備えられた有天筒状の整流筒で、高さを少なくともバーナヘッド６の下段炎孔８より高く、流入してくる混合気の混合容積を広く取れるようにしており、更に上面には直径１．５mmの複数の小孔を開口率１３〜１５％として形成した第１整流孔群１３と、バーナヘッド６の下段炎孔８と対向する周壁上部には直径１．５mmの複数の小孔を周壁の開口率８〜１０％として形成した第２整流孔群１４を設け、内方で良好に混合した混合気を上面では第１整流孔群１３で整流して上段炎孔７に集中的に供給し、又周壁上部では第２整流孔群１４で整流して下段炎孔８にスムーズに供給して良好な燃焼を得るものである。
【００１１】
１５は気化筒１上端に底部を当接し、上部はバーナヘッド６外周に間隔を取って立設した保炎壁で、燃焼時の燃焼熱を気化筒１にフイードバックするものである。
【００１２】
１６は気化筒１に燃焼空気を供給するターボファンから成る燃焼ファンで、吸込口１７より吸引した室内空気を送風路１８を介して送風口５より供給するものである。
【００１３】
１９は電磁ポンプ２０によって圧送された燃油を気化筒１内に供給する送油管で、その先端には気化筒１内に突出した噴霧ノズル４が備えられている。
【００１４】
２１は送油管１９の他端が接続する固定タンクで、カートリッジ式の給油タンク２２から弁機構２３を介して供給される燃油を一旦貯留するもので、燃油量を検知し所定量以下で給油を報知させるフロート式の給油検知手段２４及び送油管１９へのゴミの流入を阻止するフィルター筒２５が備えられている。
【００１５】
２６はバーナヘッド６外周に備えられた点火用の点火電極、２７は同じくバーナヘッド６外周に備えられた火炎を検知するフレームロッドである。
【００１６】
次にこの発明一実施例の作動について説明する。
今周知の運転操作することにより、加熱ヒーター２が通電され気化筒１を予め設定した気化可能温度まで昇温する。
【００１７】
そして気化筒１が設定温度に達するとこれを温度センサー３が検知し、燃焼ファン１６及び電磁ポンプ２０及び点火電極２６をそれぞれ作動させる。
【００１８】
これによって、燃焼ファン１６は送風路１８を介して送風口５より燃焼空気を気化筒１内に供給すると共に、電磁ポンプ２０の駆動で送油管１９を介して噴霧ノズル４より燃油が気化筒１内に噴霧され、気化筒１内では燃油が瞬時に気化されて燃焼空気との予混合が行われる。
【００１９】
そして、この混合気は集合板１１を通過し一旦集合した後、上方の整流筒１２内に流入し、下段炎孔８以上の高さを有し広い内容積の整流筒１２内で混合気は更に混合が十分促進され、一部は上面の第１整流孔群１３を通り整流した後、主にバーナヘッド６の上段炎孔７に供給され、又一部は周壁上部の第２整流孔群１４を通り整流された後、対向するバーナヘッド６の下段炎孔８にスムーズに供給され、均一な混合気濃度で良好な燃焼が得られるものである。
【００２０】
更に第１整流孔群１３からの混合気は上段炎孔７に、又第２整流孔群１４からの混合気は下段炎孔８へとそれぞれ分配されて供給されるので、上下段炎孔７、８へ供給される混合気の流速をほぼ同一にすることが出来、下段炎孔８の着火遅れを防止出来、着火時の白煙や臭気の発生を確実に抑えることが出来るものであり、しかも上下段炎孔７、８共に良好な燃焼が得られることでフレームロッド２７での炎検知の電圧レベルが一定となり、安定した炎検知が出来るものである。
【００２１】
【発明の効果】
以上のようにこの発明によれば、気化ガスと燃焼空気との混合が十分行われ、全周均一濃度の混合気が供給されるので常に良好な燃焼が行われるものであり、又上下段炎孔へ供給される混合気の流速がほぼ同一となり着火遅れがなく、着火時の白煙や臭気の発生を確実に防止出来、良好な火炎で安定した炎検知も行えるものである。
【図面の簡単な説明】
【図１】  この発明の一実施例を付した燃焼装置の概略構成図。
【図２】同要部の断面図。
【図３】同整流筒の斜視図。
【符号の説明】
１  気化筒
２  加熱ヒーター
６  バーナヘッド
７  上段炎孔
８  下段炎孔
１１  集合板
１２  整流筒
１３  第１整流孔群
１４  第２整流孔群
【図１】
0003662764.tif 000002
【図２】
0003662764.tif 000003
【図３】
0003662764.tif 000004